(57)【要約】【課題】  本発明は、押圧により接触し検知する平帯形のスイッチにおいて、１つのスイッチの切替にて検知する押圧幅を大小に切替えることができるようにすることにある。【解決手段】  本発明は押圧により接触し検知する平帯形のスイッチにおいて、該スイッチを構成する一面の電極線を３本以上の複数にて平行配線し、該各電極線間に多数の断線部をずらし設けた中間接点線を配線し、該各断線部の中間に前記の各電極線より交互に張出す枝線を臨ませ、該スイッチの他面の該中間接点線の各断線部の位置に断線部を跨ぐ長さの架橋線を設け、且つ該一面のすべての電極線に切替器を接続し、該切替器により該電極線より遠近等の２本の電極線を選択することにより、架橋線を経由する通電幅を広狭に変更して、大幅，小幅のいずれかの押圧によって接触検知するようにしたことを特徴とする平帯形のスイッチにある。【選択図】図１
2005310691.tif 000002
【特許請求の範囲】
【請求項１】
押圧により接触し検知する平帯形のスイッチにおいて、該スイッチを構成する一面の電極線を３本以上の複数にて平行配線し、該各電極線間に多数の断線部をずらし設けた中間接点線を配線し、該各断線部の中間に前記の各電極線より交互に張出す枝線を臨ませ、該スイッチの他面の該中間接点線の各断線部の位置に断線部を跨ぐ長さの架橋線を設け、且つ該一面のすべての電極線に切替器を接続し、該切替器により該電極線より遠近等の２本の電極線を選択することにより、架橋線を経由する通電幅を広狭に変更して、大幅，小幅のいずれかの押圧によって接触検知するようにしたことを特徴とする平帯形のスイッチ。
【請求項２】
切替器は電極線を３本選択して、該３本のうち中央の１本と両側のいずれか１本間の通電をそれぞれ検知するようにした請求項１に記載の平帯形のスイッチ。
【請求項３】
中間接点線に設ける各断線部間の間隔を中間接点線別に大小する請求項１記載の平帯形のスイッチ。
【発明の詳細な説明】
【技術分野】
【０００１】
この発明は平帯形のスイッチ、詳しくは押圧により接触し検知する幅を大小に切替えて検知対象物の大きさ等を選択することのできる平帯形のスイッチに関するものである。
【背景技術】
【０００２】
本願出願人は、マットスイッチとしてマットの平面空間内の下面に接触することによってスイッチ作動する２本の電極線をペットの犬猫などの足裏長より広い平行間隔を置いて配線し、該平面空間内の上面に前記２本の電極線に乗り跨がる長さを持った多数の通電用線を同様にペットの犬猫などの足裏長より広い間隔を置いて交叉取付け、該通電用線がマット上面の踏み圧によって２本の電極線に降下接触するときのみスイッチ作動をするようにしたことを特徴とするマットスイッチにより、人の踏み圧によってのみスイッチ作動し、ペットの犬猫が乗っても作動しないように押圧面の大きさを限定して感知するようにしたマットスイッチを提案した（特許文献１参照）。
【特許文献１】特開２００２−６３８２７号公報
【発明の開示】
【発明が解決しようとする課題】
【０００３】
しかしながら、該提案のマットスイッチは、電極線の間隔が一定であるため、押圧面の幅や大きさを選択的に変更することはできないという課題がある。
【課題を解決するための手段】
【０００４】
本発明は、押圧により接触し検知する平帯形のスイッチにおいて、該スイッチを構成する一面の電極線を３本以上の複数にて平行配線し、該各電極線間に多数の断線部をずらし設けた中間接点線を配線し、該各断線部の中間に前記の各電極線より交互に張出す枝線を臨ませ、該スイッチの他面の該中間接点線の各断線部の位置に断線部を跨ぐ長さの架橋線を設け、且つ該一面のすべての電極線に切替器を接続し、該切替器により該電極線より２本の電極線を選択することにより、架橋線を経由する通電幅を広狭に変更して、大幅，小幅のいずれかの押圧によって接触検知するようにして、かかる課題を解決したのである。
【発明の効果】
【０００５】
本発明は、押圧により接触検知するための通電幅を広狭に変更することができるので、検知する対象物の大きさ（幅）を切替器の切替操作によって容易に限定することができるという効果を生ずる。
【０００６】
切替器は電極線を３本選択して、該３本のうち中央の１本と両側のいずれか１本間の通電をそれぞれ検知できるようにしたので、接触検知する位置を広範囲に拡張することができ、１つのスイッチを多用途に使用することができるという効果を生ずる。
【０００７】
中間接点線に設ける各断線部間の間隔を中間接点線別に大小することにより、接触検知する通電幅の大小差を任意に大きく設定することができるという効果を生ずる。
【発明を実施するための最良の形態】
【０００８】
本発明は、押圧により接触し検知する平帯形のスイッチにおいて、該スイッチを構成する一面の電極線を３本以上の複数にて平行配線し、該各電極線間に多数の断線部をずらし設けた中間接点線を配線し、該各断線部の中間に前記の各電極線より交互に張出す枝線を臨ませ、該スイッチの他面の該中間接点線の各断線部の位置に断線部を跨ぐ長さの架橋線を設け、且つ該一面のすべての電極線に切替器を接続し、該切替器により該電極線より遠近等の２本の電極線を選択することにより、架橋線を経由する通電幅を広狭に変更して、大幅，小幅のいずれかの押圧によって接触検知するようにして、１つの平帯状のスイッチを検知する幅の異なる数種のスイッチの如くに切替使用することができるようにしたものである。
【実施例１】
【０００９】
図１は本発明の平帯形のスイッチの第１実施例を示すもので、可撓性および復元性を備えた合成ゴム等にて幅３〜１５ｃｍ、長さ数十ｃｍから数ｍなどの大きさにて２枚の平帯形のシート１ａ，１ｂを形成し、一方のシート１ａの内面に図１（a）に示すように電極線２ａ，２ｂ，２ｃを間隔をおいて平行配線し、各電極線間の中間に多数の断線部３を設けた中間接点線４ａ，４ｂを配線する。中間接点線４ａ，４ｂの各断線部３は交互に半長づつずらした位置に設けていて、各断線部３の中間に電極線２ａ，２ｂ，２ｃから、２ａ，２ｂ間と２ｂ，２ｃ間のそれぞれで交互するようにして張出す枝線５の先端を臨ませている。他方のシート１ｂの内面には図１（b）に示すように前記の各断線部３を跨ぐ長さの架橋線６を設け、両シート１ａ，１ｂを図１（c）に示すように重ねて、内面間に押圧間隔を置いて対向させ一体として平帯状のスイッチ板７とするのである。なお両シート１ａ，１ｂの電極線，中間接点線を除いた部分にスポンジなどの弾性材（図示してない）を挟入することもある。
【００１０】
８ａ，８ｂ，８ｃは電極線２ａ，２ｂ，２ｃの各一端に接続したリード線で、スイッチ体７外部の切替器９に接続する。切替器９はダイアル式，ボタン式などの張替スイッチ９ａの切替操作により、電極線の組合わせを、（２ａ−２ｂ）、（２ｂ−２ｃ）、（２ａ−２ｃ）、（２ａ−２ｂおよび２ｂ−２ｃ）のいずれかに選択して、選択した電極線間の通電を検知して図示してない警報機等に検知信号を送信するようになっている。
【００１１】
図３は、切替スイッチ９ａにより電極線（２ａ−２ｂ）の組合わせを選択したときの通電パターンを示すもので、２つの断線部３，３に対向する架橋線６，６を断線部に接触させる幅の押圧Ｐ１が外部から加わると、電極線２ａ，２ｂ間は断線部３を跨ぐ架橋線６，６の接触によって図２（a）または（b）に示すように、電極線２ａ−枝線５−架橋線６−中間接点線４ａ−架橋線６−枝線５−電極線２ｂのルートを辿る通電が検知されることとなる。押圧幅がＰ１に満たない小さなときは通電しないので検知する大きさをＰ１幅以上の押圧を与えるものに特定することができる。なお切替器９により（２ｂ，２ｃ）の組合わせをしたときも同様のルートにて通電が検知される。
【００１２】
図４は、電極線（２ａ−２ｃ）の組合わせを選択した場合の通電パターンを示すものである。いずれも電極線２ａ−枝線５−架橋線６−中間接点線４ａ−架橋線６−枝線５−電極線２ｂ−枝線５−架橋線６−中間接点線４ｂ−架橋線６−枝線５−電極線４ｃのルートを経る通電が検知されるものとなり、中間接点線４ａ，４ｂの断線部３の位置を交互にずらして設けていることにより、前記電極線（２ａ−２ｂ）または電極線（２ｂ−２ｃ）の組合わせを選択したときに較べて１.５倍の押圧幅Ｐ２による各架橋線６の接触にて通電しないと検知しないものとすることができる。よって、電極線（２ａ−２ｂ）または電極線（２ｂ−２ｃ）と電極線（２ａ−２ｃ）の電極線の組合わせを切替選択することにより、検知する幅を大小に切替えることができるものとなるのである。
【００１３】
図５は切替器９の切替スイッチ９ａの切替により、電極線（２ａ−２ｂおよび２ｂ−２ｃ）の組合わせ、つまり電極線２ａ，２ｂ間の通電あるいは電極線２ｂ，２ｃ間の通電のいずれの場合でも検知するように選択した例を示すものである。かくすることによって、押圧Ｐ１の押幅の位置がずれても、およそ（２ａ−２ｂ）間または（２ｂ−２ｃ）間のいずれかが通電することとなるので、検知する押圧幅をＰ１としたままで検知の位置を広範囲に拡張することができるものとなる。
【実施例２】
【００１４】
図６は中間接点線４ｂの断線部３間の間隔を中間接点線４ａの断線部３間の２倍の間隔を置いて設けた例を示すものである。図６の通電パターンが示すように、電極線（２ａ−２ｂ）の組合わせ時の押圧Ｐ１に較べて電極線（２ａ−２ｃ）または（２ｂ−２ｃ）の組合わせでは２倍幅の押圧Ｐ３を要すものとなり、選択する検知幅を大きく切替えることができることとなる。このように、断線部３の間隔をかえることによって切替可能な検知幅の差を用途に応じて適宜に設定することができるものとなる。
【実施例３】
【００１５】
図７は前記した電極線３本１組のスイッチ体７を２つ組合わせて１つのスイッチ体７ａを構成した例を示すもので、１組の組合わせを選択する切替器９をそれぞれに連結し、２つの切替器９，９を統括する統括切替器１０を介して警報器等に連結するのである。２組の中間接点線の断線部を相互にずらし設けることによって長手方向のあらゆる位置にて不検知帯をつくることなく押圧幅Ｐ１による押圧を通電検知することのできるものとすることができる。統括切替器１０の切替スイッチ１０ａによってスイッチ体７の２組または１組のみを検知するように切替えることもできる。
【実施例４】
【００１６】
図８は電極線を２ａ，２ｂ，２ｃ，２ｄの４本にて構成した例を示すものである。電極線２ａ，２ｂ，２ｃの部分は実施例１の電極線３本と同様に構成し、２ｃ，２ｄ間の中間接点線４ｃの断線部３間の間隔を実施例２のように２倍の幅にて設けている。切替器９の切替により、電極線（２ａ−２ｂ）、（２ａ−２ｃ）、（２ａ−２ｄ）のいずれかの組合わせを選択することによって、検知する押圧幅をＰ１、Ｐ２（１.５倍）、Ｐ３（２倍）の３段階に切替えることができるものとなる。
【００１７】
なお、以上の実施例については接触検知する押圧幅の大小の切替について説明してきたが、電極線および中間接点線は間隔をおいて平行配線するものであるから、図９に示すように、例えば前記の実施例４において、検知する押圧幅を同じＰ３に設定するにしても、電極線（２ａ−２ｄ）の組合わせのときは押圧幅Ｐ３で中間接点線４ａと４ｃ間の距離を同時に押圧する面積を必要とするが、電極線（２ｂ−２ｄ）のときは中間接点線４ｂと４ｃ間の距離を含む面積、電極線（２ｃ−２ｄ）を選択するときは距離を必要としない押圧幅Ｐ３だけで通電検知することができることとなる。これを利用して押圧幅の大小の切替のほか、距離を含めた面積の大小に係る切替も可能となるのである。電極線（中間接点線）間の距離を大きくとればより大きな面積の押圧接触により通電検知するスイッチ体とすることができ、逆に距離をごく短く形成すれば、ほとんど面積として捉える必要のない押圧幅だけの切替スイッチとすることもできる。
【産業上の利用可能性】
【００１８】
本発明の平帯状のスイッチは以上のようにして、例えば病人看護用のベッドセンサーとして使用するときは、検知する押圧幅の切替によって、腕が乗っても検知しないが臀部が乗ると検知するようにしたり、また体格に応じて、体の小さな人には検知幅を狭くし、大きな人には検知幅を大きく切替えて無用な押圧は検知しないようにするなど、１つのスイッチを切替によって数種のスイッチを使い分けるようにして使用することができ、また機器の安全装置や防犯装置のスイッチとするときは、犬や猫などが乗っても検知するように検知する幅を狭くしたり、犬猫には反応せずに人や車のタイヤなどが乗ると検知するように検知する幅を広く切替えたりすることができる。さらに幅に加えて距離を含めた面積を要する検知作用を利用すれば、無人走行車などの通過時の狭い面積は検知せずに一定以上の底面積のある荷物が置かれたときの押圧だけを検知するようにできるなど広範な用途で便利に使用することができるものである。
【図面の簡単な説明】
【００１９】
【図１】（実施例１）（ａ）は一面の配線を示す平面図、（ｂ）は他面の配線を示す平面図、（ｃ）は重ねてスイッチ体とした状態の平面図
【図２】平帯状のスイッチの斜視図
【図３】電極線（２ａ−２ｂ）の組合わせを選択したときの通電パターンを示す説明図
【図４】電極線（２ａ−２ｃ）の組合わせを選択したときの通電パターンを示す説明図
【図５】電極線（２ａ−２ｂおよび２ｂ−２ｃ）の組合わせを選択したときの検知幅の位置を示す説明図
【図６】（実施例２）２本の中間接点線のうち１本の中間接点線の断線部間を他の２倍の距離で設けた例を示す平面図および通電パターンを示す説明図
【図７】（実施例３）電極線３本１組を２組用いたスイッチ体の例を示す平面図と、検知する押圧幅とその位置とを示す説明図
【図８】（実施例４）電極線を４本にて構成した例を示す平面図とその通電パターンを示す説明図
【図９】面積による押圧を考慮したときの選択例を示す通電パターンの説明図
【符号の説明】
【００２０】
１ａ，１ｂは平帯状シート
２ａ，２ｂ，２ｃ，２ｄは電極線
３は断線部
４ａ，４ｂ，４ｃは中間接点線
５は枝線
６は架橋線
７，７ａはスイッチ体
８ａ，８ｂ，８ｃ，８ｄはリード線
９は切替器
９ａは切替スイッチ
１０は統括切替器
１０ａは切替スイッチ
【図１】
2005310691.tif 000003
【図２】
2005310691.tif 000004
【図３】
2005310691.tif 000005
【図４】
2005310691.tif 000006
【図５】
2005310691.tif 000007
【図６】
2005310691.tif 000008
【図７】
2005310691.tif 000009
【図８】
2005310691.tif 000010
【図９】
2005310691.tif 000011